(57)【要約】【課題】パチンコ遊技機前面の球受皿に装備される球抜き装置であって、球受皿に貯留された遊技球を少しずつ手に受けることも、一気に排出することも可能なるようにする。【解決手段】パチンコ遊技機の前面に設けられた球受皿３に底開口８を形成し、可動排出シュート１３を該開口内に設け、常態では該可動排出シュートの側壁により該球受皿内の遊技球の該可動排出シュート内への流入が阻止されるようにするとともに、該可動排出シュートの姿態を操作することにより該球受皿内の遊技球が該可動排出シュート内に連続的または非連続的に流れるように構成した。【選択図】  図３
2004254956.tif 000002
【特許請求の範囲】
【請求項１】
パチンコ遊技機の前面に設けられた球受皿に底開口を形成し、可動排出シュートを該開口内に設け、常態では該可動排出シュートの側壁により該球受皿内の遊技球の該可動排出シュート内への流入が阻止されるようにするとともに、該可動排出シュートの姿態を操作することにより該球受皿内の遊技球が該可動排出シュート内に連続的または非連続的に流れるように構成したことを特徴とするパチンコ遊技機における球受皿の球抜き装置。
【請求項２】
パチンコ遊技機の前面に設けられた球受皿に底開口を形成するとともに、壁面開口が形成された可動排出シュートを該底開口内に下端部が該球受皿から垂下し上下動および回転動自在に支持し、常態では該可動排出シュートの側壁により該球受皿内の遊技球の排出が阻止され、該可動排出シュートを上動または回転動することにより前記壁面開口より該球受皿内の遊技球が該可動排出シュート内に流れるように構成したことを特徴とするパチンコ遊技機における球受皿の球抜き装置。
【発明の詳細な説明】
【０００１】
【発明の属する技術分野】
本発明はパチンコ遊技機前面の球受皿に装備される球抜き装置に関するものである。
【０００２】
【従来の技術】
【特許文献１】
実開平４−９２２８３号公報
【特許文献２】
特開２００１−１７０３１９号公報
【０００３】
上記特許文献等により開示された球抜き装置は、球受皿の一側に球抜ボタンが出没自在に設けられ、遊技者が該球抜ボタンを押すことにより、その動きがラック歯と歯車からなる伝動機構を介してシャッター板に伝達され、該シャッター板が摺動することから該球受皿の底面に形成された球抜口が開かれ、該球受皿に溜まった遊技球を一気に球箱等に移し替えられるようにするものである。
【０００４】
【発明が解決しようとする課題】
ところで、遊技者は発射ハンドルを握った状態で球受皿に溜まっている遊技球を他方の手で少しずつ球抜きしたい場合があるが、従来の上記球抜き装置では、遊技球を一気に排出することは可能であるものの、少しずつ球抜きすることができない欠点があった。
【０００５】
また、打球供給用の球受皿（上皿）と、余剰球貯留用の球受皿（下皿）とが上下段に設けられたパチンコ遊技機においては、一般的にその両球受皿の間隔が狭いとともに、上段の球受皿が前方に膨出した形態であるので、手が入れにくくなり、下段の球受皿から遊技球を取り出しにくいという問題があった。
【０００６】
本発明は、これらの課題を解決しようとするもので、球受皿に貯留された遊技球を少しずつ手に受けることも、一気に排出することも可能な球抜き装置を提供する。
【０００７】
【課題を解決するための手段】
そのために本発明の球抜き装置は、パチンコ遊技機の前面に設けられた球受皿に底開口を形成し、可動排出シュートを該開口内に設け、常態では該可動排出シュートの側壁により該球受皿内の遊技球の該可動排出シュート内への流入が阻止されるようにするとともに、該可動排出シュートの姿態を操作することにより該球受皿内の遊技球が該可動排出シュート内に連続的または非連続的に流入するように構成したことを特徴とする。
また本発明の球抜き装置は、パチンコ遊技機の前面に設けられた球受皿に底開口を形成するとともに、壁面開口が形成された可動排出シュートを該底開口内に下端部が該球受皿から垂下し上下動および回転動自在に支持し、常態では該可動排出シュートの側壁により該球受皿内の遊技球の排出が阻止され、該可動排出シュートを上動または回転動することにより前記壁面開口より該球受皿内の遊技球が該可動排出シュート内に流入するように構成したことを特徴とする。
【０００８】
【発明の実施の形態】
次に本発明の実施の形態を図面に基づき説明する。図１は本発明が適用されるパチンコ遊技機の正面図、図２はその球受皿部の平面図、図３はその縦断面図である。１は景品の遊技球が払出口２より払い出されるとともに、該遊技球を発射装置に供給するために該パチンコ遊技機の前面に突設された球受皿（上皿）、３は該球受皿と機内にて連通していて該球受皿から溢れ流入口４から放出された遊技球を貯留するために該パチンコ遊技機の前面に突設された球受皿（下皿）、５は該球受皿３の一側に一体に形成された灰皿、６は打球発射操作ハンドルである。
【０００９】
この実施形態では上記球受皿３に本発明に係る球抜き装置を設けている。即ち、球受皿３の底面７の傾斜下部に図４に示したように方形状の底開口８を形成し、該開口の両側縁に球受皿３内で起立する一対の軸受板９を形成し、該軸受板の対向内面に略Ｎ字形にガイド溝１０を形成する。なお、該ガイド溝は一対の直線溝１０ａ，１０ｂが所定間隔で垂直に形成され、その一方の直線溝１０ａの下端部と他方の直線溝１０ｂの上端部とが該直線溝１０ｂの下端部を曲率中心とする円弧状溝１０ｃによって連結されて略Ｎ字形を呈している。そして、底面部の排出口１１と後側壁面下部の壁面開口１２にわたり連続状に開口した箱状の可動排出シュート１３を前記底開口８中に収容し、該可動排出シュートに水平に一対の支軸１４，１５を夫々貫通状に固着し、該各支軸の両突出端を前記ガイド溝１０の両直線溝１０ａ，１０ｂに遊嵌し該直線溝に沿って該各支軸１４，１５の両突出端が摺動自在なるようにし、常態では図３に示したように該可動排出シュート１３の自重で該各支軸１４，１５の両突出端が該両直線溝１０ａ，１０ｂの下端部に位置し、前記壁面開口１２は底面７より下に位置することにより該可動排出シュートの側壁により該球受皿３内の遊技球１６の排出が阻止され、該可動排出シュート１３の下端部が該球受皿３から垂下した状態となるようにする。なお、１７は該支軸１４に吊下された重錘、１８は可動排出シュート１３の前面下部に突設された摘子である。
【００１０】
このように構成した球抜き装置では、球受皿３から垂下している可動排出シュート１３の下端部を手の平で持ち上げると、支軸１４，１５の両突出端は両直線溝１０ａ，１０ｂに沿って上方に摺動することから図５に示したように該可動排出シュートは垂直に上動する。そして壁面開口１２が底面７より上に出ることにより、該球受皿３内の遊技球１６が該壁面開口１２より該可動排出シュート内に流入し排出口１１より流出することから手の平にその遊技球を受けることができ、その状態で手の平を下降させれば該可動排出シュートも自重で一緒に下動し、該可動排出シュート内の遊技球のみが手の平に排出される。このように少しだけ遊技球が欲しい場合は、可動排出シュート１３を手の平で上下動させればよい。
【００１１】
また、例えば図６に示したように球受皿３の下に移動用の球箱１９を置いて、該球受皿中の遊技球を一気に球箱中に移し替えようとするときは、可動排出シュート１３の前面下部に突設された摘子１８を押すと、該可動排出シュートは支軸１４の突出端が円弧状溝１０ｃに沿って摺動可能であることから矢印で示したように前傾状に回転し、壁面開口１２が底面７より上に出ることにより、該球受皿３内の遊技球１６は該壁面開口１２より該可動排出シュート内に流入し排出口１１より球箱１９に連続的に流出する。なお、このとき前記重錘１７の重心が支軸１５の真上に位置することにより該可動排出シュート１３をこの回転状態に保持される。このため可動排出シュート１３をこのように鉛直面内で回転させることで、球受皿３内の遊技球を一気に球箱中に移し替えることができる。なお、摘子１８を手で引っ張ることによりこの回転状態を元に戻すことができる。
【００１２】
この実施形態では、可動排出シュート１３を上下動および回転動自在に支持するために軸受板９に略Ｎ字形にガイド溝１０を形成した例を示したが、この構造に限らずその他の支持構造に改変することは可能である。またこの球抜き装置は、球受皿１に設けることも可能であるとともに、球受皿１と球受皿３の機能が一体となったものに設けることもできる。
【００１３】
【発明の効果】
以上説明したように本発明の球抜き装置は、パチンコ遊技機の前面に設けられた球受皿に底開口を形成し、可動排出シュートを該開口内に設け、常態では該可動排出シュートの側壁により該球受皿内の遊技球の該可動排出シュート内への流入が阻止されるようにするとともに、該可動排出シュートの姿態を操作することにより該球受皿内の遊技球が該可動排出シュート内に連続的または非連続的に流れるように構成したことから、球受皿内の遊技球を一気に排出したい場合と少しだけ欲しい場合のいずれにもこの装置で対処できるようになり、使い勝手を向上させる効果がある。
【図面の簡単な説明】
【図１】本発明の球抜き装置の実施形態を示したパチンコ遊技機の正面図。
【図２】図１のパチンコ遊技機の球受皿部の平面図。
【図３】図１のパチンコ遊技機の球受皿部の縦断面図。
【図４】図１のパチンコ遊技機の球抜き装置の分解斜視図。
【図５】図３の作動状態図。
【図６】図３の作動状態図。
【符号の説明】
１，３        球受皿
７            底面
８            底開口
９            軸受板
１０          ガイド溝
１１          排出口
１２          壁面開口
１３          可動排出シュート
１４，１５    支軸
１６          遊技球
１７          重錘
１８          摘子
【図１】
2004254956.tif 000003
【図２】
2004254956.tif 000004
【図３】
2004254956.tif 000005
【図４】
2004254956.tif 000006
【図５】
2004254956.tif 000007
【図６】
2004254956.tif 000008